(57)【要約】【課題】背もたれに沿って起立した状態で長取っ手部材を格納できる便器付き椅子の利点を継承しつつ使用位置にある長取っ手部材のロックの操作性を改善する。【解決手段】ピボット軸24２４を中心に揺動可能な取っ手部材14は長尺の木材16を有し、長尺木材16が水平姿勢となる使用位置と、起立姿勢となる格納位置とを取ることができる。長尺部材16が水平の使用位置にあるときにロック部材30によってロックされる。ロック部材30は上下に延びる操作部材40を有し、操作部材40はコイルバネ46によって図中時計方向に付勢されている。長尺木材１８を水平姿勢から起立姿勢に姿勢変換するには、操作部材40の上部を側方から指で押すことでロック解除することができる。【選択図】図3
2013252326.tif 000002
【特許請求の範囲】
【請求項１】
高さ調整可能な便座の左右両側に、前後方向に延びる長尺部材を備えた取っ手部材を有し、該取っ手部材が回動して前記長尺部材が水平方向に延びる該長尺部材の使用位置と、該長尺部材が背もたれフレームに沿って上下方向に伸びる該長尺部材の格納位置とをとることのできる便器付き椅子であって、
前記背もたれフレームにロック部材が配設され、
該ロック部材が上下に延び且つ水平軸を中心に揺動可能な操作部材を有し、
該操作部材の下端部に、使用位置にある前記長尺部材の後端部を受け止めて該長尺部材の揺動をロックする係止面が形成されていることを特徴とする便器付き椅子。
【請求項２】
前記操作部材を付勢する付勢部材を更に有し、
該付勢部材によって前記操作部材が起立状態となる方向に付勢されている、請求項１に記載の便器付き椅子。
【請求項３】
前記操作部材が傾斜したガイド面を有し、
前記取っ手部材が回動して前記長尺部材が前記格納位置から前記使用位置に変位するときに該長尺部材の後端部が前記操作部材のガイド面に擦接することにより前記操作部材が前記付勢部材の付勢力に抗して揺動する、請求項２に記載の便器付き椅子。
【請求項４】
前記取っ手部材のピボット軸が前記便座の高さレベル以下且つ前記便座の前後方向長さの中間位置に配置されて、前記長尺部材が前記格納位置を取ったときに該長尺部材の上端が前記背もたれフレームの上端以下の高さレベルに保持される、請求項１〜３のいずれか一項に記載の便器付き椅子。
【請求項５】
前記長尺部材の使用位置から格納位置に前記取っ手部材を回動させるときに前記取っ手部材のピボット軸が下方に変位する、請求項４に記載の便器付き椅子。
【請求項６】
前記取っ手部材が、使用位置にある前記長尺部材の前部からほぼ直角に垂下する短尺部材を更に有し、
前記取っ手部材が回動して前記長尺部材が格納位置をとったときに前記短尺部材が水平方向に延びる使用位置をとる、請求項１〜５のいずれか一項に記載の便器付き椅子。
【発明の詳細な説明】
【技術分野】
【０００１】
本発明は、一般的には便器付き椅子に関し、より詳しくは、ベッドの脇に置いて要介護者が自力で又は介助者の手を借りて便器付き椅子に移乗して用を足すのに好都合な自律支援介護用品としての便器付き椅子に関し、更に詳しくは要介護者の一層の自律を支援できる便器付き椅子に関する。
【背景技術】
【０００２】
介護用の便器付き椅子は「ポータブルトイレ」とも呼ばれているが、ベッドの脇で使用するのが好適な便器付き椅子として、相対的に長い取っ手部材と相対的に短い取っ手部材を左右に備えた椅子型の便器付き椅子が普及している（特許文献１、２）。この種の便器付き椅子は、一方の取っ手部材が便座の側縁の全長よりも短いため（短取っ手部材）、この短取っ手部材よりも前方に位置する側方に向けて開放した空間を使って要介護者が自力で又は介助者の手を借りてベッドサイドから該ベッドサイドに隣接して配置した便器付き椅子に座位姿勢で移乗できるという利点があり、自律支援介護用品として注目されている。
【０００３】
特許文献１の便器付き椅子は、ベッドから遠い側の取っ手部材の長さが便座の側縁の全長よりも長く（「長取っ手部材」）、便器付き椅子の前方に突出した長さ寸法に設定されている。後に説明する特許文献２との違いを明確にするために、この特許文献１の便器付き椅子を「前方突出取っ手タイプ」と呼ぶこととし、また、長取っ手部材を「前方突出取っ手部材」と呼ぶことにする。この前方突出取っ手タイプの便器付き椅子は、要介護者が、前方突出取っ手部材の前端部を支えに前屈みの姿勢から重心移動するのに都合がよいという利点がある。
【０００４】
特許文献２は、ベッドから遠い側の取っ手部材の長さが便座の側縁の前後長とほぼ等しい長さ寸法に設定された便器付き椅子を開示している。特許文献２の便器付き椅子を「肘掛け取っ手タイプ」と呼ぶこととし、また、長取っ手部材を「肘掛け取っ手部材」と呼ぶことにする。この肘掛け取っ手タイプの便器付き椅子のなかには、肘掛け取っ手部材を上に跳ね上げることのできる格納式便器付き椅子が出現している。
【０００５】
この従来例の概要を示したのが図９である。図９を参照して、参照符号Ｈはベッドの高さレベルを示し、このベッドの高さレベルＨと略一致するように便座２の高さ位置を調整することができる。従来の跳ね上げ式便器付き椅子は、左右一対の肘掛け取っ手部材３と、左右一対の短取っ手部材４とを有し、各肘掛け取っ手部材３は、その基端部つまり後端部３ａを中心に揺動可能である。肘掛け取っ手部材３の揺動中心を参照符号５で示す。肘掛け取っ手部材３は背もたれ６に沿って起立した起立姿勢（仮想線で図示した姿勢）と、傾倒した水平姿勢（実線で図示の状態）とを取ることができ、水平姿勢では、肘掛け取っ手部材３は短取っ手部材４の上に乗った状態で短取っ手部材４によって支持される。
【０００６】
上記の従来例の便器付き椅子は、肘掛け取っ手部材３を跳ね上げて起立姿勢を取らせることで、既に存在しているところの短取っ手部材４が出現する。このことから、ベッドサイドに隣接して便器付き椅子を設置するときに、要介護者にとって都合の良い側の肘掛け取っ手部材３を跳ね上げて起立姿勢（格納姿勢）を取らせることで長短の取っ手部材を備えた便器付き椅子に変身させることができる。
【０００７】
また、要介護者が着座した後に、例えば起立姿勢の肘掛け取っ手部材３を倒すことで、左右両側に肘掛け取っ手部材３を備えた便器付き椅子に変身させることができ、要介護者は左右の肘掛け取っ手部材３を肘掛けとして利用でき、また、この左右の肘掛け取っ手部材３を支えに起立又は着座動作をすることができる。
【先行技術文献】
【特許文献】
【０００８】
【特許文献１】特開平２−１１１３６７号公報
【特許文献２】特開２００８−１０４８３３号公報
【発明の概要】
【発明が解決しようとする課題】
【０００９】
特許文献１に開示の便器付き椅子の適用例は、これを使用する者（要介護者）に残存している身体機能や身体能力によって次の類型に大別して考えることができる。
【００１０】
（１）介助者の手によって要介護者をベッドサイドに座らせ、そして、このベッドサイドに隣接して配置した便器付き椅子に、介助者の手助けによって要介護者を座位姿勢のまま便器付き椅子に移乗させる（全介助）。
【００１１】
（２）要介護者が自力でベッドサイドに座った姿勢をとり、そして、このベッドサイドに隣接して配置した便器付き椅子に、要介護者が自力でお尻を横移動させることで便器付き椅子に移乗することができる。
【００１２】
（３）要介護者が起立又は着座するときに長取っ手部材の前端に手を置いて、この長取っ手部材を支えに起立又は着座することができる。この長取っ手部材は前方に突出した長さ寸法を有していることから、この前方突出取っ手部材の前端部を支えに前屈みの姿勢から重心移動することができるという、特許文献２の肘掛け取っ手部材には無い利点がある。
【００１３】
（４）便器付き椅子のベッドとは反対側の長取っ手部材を起立させることにより、ベッドとは反対側から介護することができる。
【００１４】
図９を参照して、跳ね上げ式の肘掛け取っ手部材３を備えた便器付き椅子は、格納状態の肘掛け取っ手部材３つまり起立姿勢（格納位置）の肘掛け取っ手部材３の上端部分が背もたれ６から上方に大きく突出した状態になる。この背もたれ６から上方に突出する肘掛け取っ手部材３の存在は、要介護者の身の回りを世話する介助者にとって邪魔であり、特に、便器付き椅子の後方から要介護者を世話するときに介助の障害物になり易い。
【００１５】
従来の跳ね上げ式の肘掛け取っ手部材３を備えた便器付き椅子は、肘掛け取っ手部材の後端部が背もたれフレームに対して回動可能であり、この回動軸(ピボット軸)にロック機構が配設されているが、要介護者の視点よりも介助者の視点に立った操作性を追求する設計が行われていた。
【００１６】
本発明の目的は、要介護者が持っている残存機能を使って自力で取っ手部材のロックロック解除できる便器付き椅子を提供することにある。
【００１７】
本発明の更なる目的は、要介護者が持っている残存機能を使って自力で取っ手部材のロック及びロック解除並びに取っ手部材を姿勢変換させることができる便器付き椅子を提供することにある。
【００１８】
本発明の更なる目的は、水平姿勢の取っ手部材を支えに要介護者が起立又は便座に着座、ベッドとの間で移乗する動作を行ったとしても取っ手部材のぐらつきを抑えることのできる便器付き椅子を提供することにある。
【００１９】
本発明の更なる目的は、特許文献２に開示している、背もたれに沿って起立した状態で取っ手部材を格納できる便器付き椅子の利点を継承しつつ格納状態の取っ手部材の上端が背もたれから大きく突出してしまうことのない便器付き椅子を提供することにある。
【００２０】
本発明の更なる目的は、便座の側縁の全長よりも長い前方突出取っ手部材を背もたれに沿って起立した状態で格納しても、この前方突出取っ手部材の上端が背もたれから上方に突出しない便器付き椅子を提供することにある。
【課題を解決するための手段】
【００２１】
上記の技術的課題は、本発明によれば、
高さ調整可能な便座の左右両側に、前後方向に延びる長尺部材を備えた取っ手部材を有し、該取っ手部材が回動して前記長尺部材が水平方向に延びる該長尺部材の使用位置と、該長尺部材が背もたれフレームに沿って上下方向に伸びる該長尺部材の格納位置とをとることのできる便器付き椅子であって、
前記背もたれフレームにロック部材が配設され、
該ロック部材が上下に延び且つ水平軸を中心に揺動可能な操作部材を有し、
該操作部材の下端部に、使用位置にある前記長尺部材の後端部を受け止めて該長尺部材の揺動をロックする係止面が形成されていることを特徴とする便器付き椅子を提供することにより達成される。
【００２２】
本発明の好ましい実施形態によれば、前記操作部材を付勢する付勢部材を更に有し、該付勢部材によって前記操作部材が起立状態となる方向に付勢されている。この実施形態によれば操作部材の上端部を押すことでロック解除が可能である。
【００２３】
また、本発明の好ましい実施形態によれば、前記取っ手部材のピボット軸が前記便座の高さレベル以下且つ前記便座の前後方向長さの中間位置に配置されて、前記長尺部材が前記格納位置を取ったときに該長尺部材の上端が前記背もたれフレームの上端以下の高さレベルに保持される。これにより、水平姿勢の取っ手部材を支えに要介護者が起立又は便座に着座、ベッドとの間で移乗する動作を行ったとしても取っ手部材のぐらつきを抑えることができる。
【００２４】
ここに、長取っ手部材は、便座の前後長さと実質的に等しい「肘掛け取っ手部材」に限られず、便座の前後長さよりも長い長取っ手部材つまり便座の前端から前方に突出した「前方突出取っ手部材」であってもよい。また、前記取っ手部材の回動に伴って前記ピボット軸が変位可能であってもよいし、変位不能であってもよい。
【００２５】
本発明の他の目的、作用効果は、以下の本発明の好ましい実施例の詳しい説明から明らかになろう。
【図面の簡単な説明】
【００２６】
【図１】第１実施例の便器付き椅子の斜視図である。
【図２】第１実施例の便器付き椅子の側面図であり、前方突出取っ手部材の長尺木材が水平姿勢の使用位置にある。
【図３】第１実施例の便器付き椅子の側面図であり、前方突出取っ手部材が背もたれフレームに沿って起立した格納位置にある。
【図４】本発明に適用されているスイング式ロック機構を前方から見た図であり、格納位置の長尺部材を水平の使用位置にするときに該長尺部材の後端部をロックする過程を示す図である。
【図５】図４と同様に本発明に適用されているスイング式ロック機構を前方から見た図であり、水平の使用位置の長尺部材を起立させるときの操作を説明するための図である。
【図６】第２実施例の便器付き椅子の斜視図であり、一方の長尺部材を起立した格納位置にあり、この格納位置の長尺部材に代わって短尺部材が使用位置にある状態を示す。
【図７】第２実施例の便器付き椅子の側面図であり、長尺部材が水平の使用位置にある状態を示す。
【図８】第２実施例の便器付き椅子の側面図であり、長尺部材を起立した格納位置にあり、これに代わって短尺部材が使用位置にある状態を示す。
【図９】従来の肘掛け取っ手部材型便器付き椅子の機能を説明するための図である。
【発明を実施するための形態】
【実施例】
【００２７】
以下に、添付の図面に基づいて本発明の好ましい実施例を説明する。
【００２８】
第１実施例（図１〜図５）：
図１〜図３は第１実施例の便器付き椅子を示す。この第１実施例の便器付き椅子１００は、その躯体が木材を主体に作られた家具調ポータブルトイレである。図１は斜視図である。図２及び図３は側面図であり、図２は取っ手部材が水平姿勢をとった状態を示し、図３は取っ手部材が起立姿勢をとった状態を示す。
【００２９】
図１を参照して、第１実施例の便器付き椅子１００は、従来と同様に、左右合計４本の脚２と、便座４と、背もたれ６とを有する椅子の形態を有し、便座４は脱着可能である。
【００３０】
左側及び右側の前後の脚２ａ、２ｂは横片２ｃによって側面視Ｈ状に一体化されている。前方脚２ａ及び後方脚２ｂには、夫々、上下に間隔を隔てて複数の透孔８が形成され、この上下に配列した複数の透孔８を使って便座４の高さレベルを上下に調整してベッドの高さと一致させることができる。すなわち、座部側壁ボード１０にはナット付きの孔が前方脚２ａ、後方脚２ｂに対抗して夫々形成され、このナット付き孔に螺着するボルトを前方脚２ａ及び後方脚２ｂの所望の透孔８に挿通させてナット付き孔に螺着することで前方脚２ａ、後方脚２ｂの有効長さを調整することができる。このような高さ調整機能を備えた便器付き椅子は従来から知られているので、その詳しい説明は省略する。なお、座部側壁ボード１０のナット付き孔及びこれに螺着するボルトは、作図上の理由から図面には現れていない。
【００３１】
左右の側壁ボード１０の上端縁部の間に合成樹脂製の便座４が載置され、この便座４の下つまり左右の座部側壁ボード１０で囲まれた空間には、従来と同様に、排泄物を受け止めるバケツ（図示せず）が収容される。便座４は、常時は、座部クッション材１２によって覆い隠される(図２、図３)。
【００３２】
便器付き椅子１００は左右一対の取っ手部材１４を有している。取っ手部材１４は、前後方向に延びる長尺の木材１６と、この長尺木材１６を支持するためのＶ字状のフレーム木材１８とを有し、このＶ字状のフレーム木材１８の前後に離間した２つ上端が長尺木材１６に固定されている。このＶ字状フレーム木材１８と長尺木材１６との間には、好ましくは、Ｖ字状の輪郭を有する目隠しボード２０が設けられる。
【００３３】
左右一対の取っ手部材１４の長尺木材１６は、便座４の前端縁よりも前方に突出した前記「前方突出取っ手部材」（特許文献１）で構成されているが、側面視したときに便座４の前端縁とほぼ一致する前端を備えた前記「肘掛け取っ手部材」（特許文献２）であってもよい。
【００３４】
Ｖ字状フレーム木材１８は、その下端部が座部側壁ボード１０に軸支されている。Ｖ字状フレーム木材１８の下端には、変位不能のピボット軸２４を備えた金属部材２２が固定されている。便座４の高さ位置以下の高さレベルに配置され且つ便座４の前後方向長さの中間部分に位置する変位不能のピボット軸２４は、座部側壁ボード１０に対して回転可能に且つ抜け落ちないように取り付けられている。好ましい形態では、ピボット軸２４は便座４の高さレベルよりも低位の高さ位置に配置されている。金属部材２２には上記のピボット軸２４の他に、このピボット軸２４から離間した下方位置にガイドピン２６が固設されており、このガイドピン２６は、座部側壁ボード１０に形成されたガイド溝２８に受け入れられている。ガイド溝２８は上記のピボット軸２４を中心とした円弧状の溝で構成されている。
【００３５】
取っ手部材１４は、上記の構成によって、変位不能のピボット軸２４を中心に且つ円弧状のガイド溝２８に案内されて揺動可能であり、図２に図示のように長尺木材１６が水平姿勢となる使用位置と、図３に図示のように長尺木材１６が起立姿勢となる格納位置と、を取ることができる。この実施例では、取っ手部材１４の揺動角度は約８５°であり、長尺木材１６が起立姿勢(格納位置)を取ったときには、この長尺木材１６は後に説明する背もたれフレーム木材３２と側面視で重複した格納状態になる。
【００３６】
取っ手部材１４は使用位置の水平姿勢をとったときにロック部材３０によって固定される。ロック部材３０は、左右の背もたれフレーム木材３２に配置されている。左右の背もたれフレーム木材３２は、夫々、左右の座部側壁ボード１０と一体化されており、この左右の背もたれフレーム木材３２の間に前記背もたれ６が配設されている。
【００３７】
背もたれ６は、上方背もたれ６ａと下方背もたれ６ｂとで上下に２分割した構造を有し、下方背もたれ６ｂは脱着可能である。
【００３８】
左右の背もたれフレーム木材３２には、夫々、水平方向に延びるベース支柱３８が固設されており、このベース支柱３８の外端部に前記ロック部材３０が取り付けられている（図１）。
【００３９】
ロック部材３０を前方から見た図４、図５を参照して、ロック部材３０は上下に延びる操作部材４０を有し、この操作部材４０は、その上下方向中間部分がベース支柱３８に、前後方向に延びる水平支持ピン４２を介して揺動自在に取り付けられている。ベース支柱３８は、使用位置の長尺木材１６の水平姿勢を保つだけでなく、要介護者が長尺木材１６の前端部分に体重を掛けたとしても長尺木材１６の水平姿勢を保持するのに十分な剛性を備えている。
【００４０】
操作部材４０は、水平支持ピン４２を挟んでその上部に、正面からみたときに円形の形状の操作受け面４０ａが形成されている（図２、図３）。この操作受け面４０ａは、後に説明するように介助者又は要介護者が側方から指でプッシュするのに好都合である。スイング動作可能な操作部材４０の下端にはフック４４が形成されている。フック４４は側面視したときに略三角形の形状を有し(図４)、傾斜したガイド面４４ａと水平の係止面４４ｂとを備えている。また、スイング動作可能な操作部材４０は、水平ピン４２に取り付けられた捻りコイルバネ４６によって図中時計方向に付勢されて起立状態で保持される。
【００４１】
図４は、取っ手部材１４（長尺木材１８）を倒して水平姿勢（使用位置）にするときの操作部材４０の動作を説明するための図である。長尺木材１８を前倒しすると、この長尺木材１８が水平姿勢になる直前で長尺木材１８の後端部が操作部材４０の傾斜ガイド面４４ａと係合し、長尺木材１８の後端部は傾斜ガイド面４４ａに擦接しながら上方移動する。これに伴いフック４４は捻りコイルバネ４６のバネ力に抗して図中反時計方向に揺動する。更に長尺木材１８を倒し込んで、これに伴って長尺木材１８の後端部が更に上方移動すると、この長尺木材１８の後端部が傾斜ガイド面４４ａから離れると同時に操作部材４０が捻りコイルバネ４６によって図中時計方向に回動して起立した状態に戻る。これにより長尺木材１８の後端部は、その上下に位置する操作部材４０の水平係止面４４ｂとベース支柱３８とでロックされ、長尺部材１６は使用位置（水平姿勢）で位置固定される。
【００４２】
図５は、取っ手部材１４を起立させるために、第１位置の水平状態の長尺木材１８のロックを解除する操作を説明するための図である。長尺木材１８を水平姿勢から起立姿勢に姿勢変換するには、介助者又は要介護者が操作部材４０の操作受け面４０ａを指で押して操作部材４０を図中反時計方向に揺動させる必要がある。図５において参照符号Ｆは、介助者又は要介護者が操作部材４０に加える指の力を示す。
【００４３】
操作部材４０を指で押して図中反時計方向に回動させることにより水平姿勢の取っ手部材１４のロック状態を解除することができる。したがって、操作部材４０を指で押しながら長尺木材１６を上に持ち上げることで、取っ手部材１４の後端部がロック部材３０から解放され、さらに長尺木材１６を持ち上げることにより長尺木材１６が背もたれフレーム木材３２に沿って起立した状態の格納位置を取らせることができる。長尺木材１６の起立状態はロック部材３０のベース支柱３８によって規定される。長尺木材１６が不用意に倒れないように、取っ手部材１４のピボット軸２４が摩擦抵抗を伴って回動するように、ピボット軸２４の回動抵抗を適切に設定するのがよい。これにより適度な抵抗を伴いながら取っ手部材１４を倒伏動作及び起立動作させることができる。
【００４４】
操作部材４０を側方から指で押すだけでロック解除できるのは上述した通りであるが、これに加えて、便器付き椅子１００は取っ手部材１４のピボット軸２４が便座４の前後方向中間部分に位置していることから、要介護者が自力でロック解除及び長尺木材１６を跳ね上げさせることができる。この点を説明すると、要介護者が指で操作部材４０を押してロック解除すると共に、水平姿勢の長尺木材１６の後部（ピボット軸２４よりも後方の部位）を例えば肘で押し下げることで長尺木材１６を起立させることができる。また、要介護者が起立姿勢の長尺部材１６を手にしてこれを水平姿勢にすることで操作部材４０が自動的にロック状態になる。
【００４５】
したがって、便器付き椅子１００は、介助者にお願いすることなく、要介護者の自らの意思と行為（自律動作）によって取っ手部材１４の長尺木材１６を揺動させて使用位置と格納位置とに位置決めすることができる。このことは自律支援用品としての便器付き椅子として画期的な利点であると言える。
【００４６】
図３から分かるように、取っ手部材１４の長尺木材１６が背もたれフレーム木材３２に沿って起立姿勢を取ったとき、つまり長尺木材１６が格納状態になったときに、この格納状態の長尺木材１６の上端が背もたれフレーム木材３２の上端よりも上方に突出していない点に注目されたい。
【００４７】
実施例の便器付き椅子１００によれば、左右の取っ手部材１４の長尺木材１６が水平姿勢（使用位置）と起立姿勢（格納位置）をとることができるためベッドサイドに椅子１００を設置したときに、ベッドに隣接する取っ手部材１４を跳ね上げてその長尺木材１６を起立姿勢にすることでベッド側を開放することができる。そして、このときに起立した長尺木材１６は背もたれフレーム木材３２に沿って位置し且つ背もたれフレーム木材３２の上端を超えて上方に突出していないため、起立した長尺木材１６が介助者の邪魔になることはない。勿論、便器付き椅子１００がベッドサイドに向けて開放した状態であることから、要介護者が自力でベッドサイドに座り、そして当該ベッドサイドに隣接して位置する便器付き椅子１００の便座４に自力でお尻を横移動させることで、便器付き椅子１００に移乗することができる。
【００４８】
要介護者が自力でベッドサイドに近づいたり、ベッドサイドに座る際の動作の拠り所にするために、背もたれフレーム３４に固設した突起やバー又は取っ手を設けてもよいし、この突起やバー又は取っ手を背もたれフレーム３４に脱着可能に設置できるようにしてもよい。
【００４９】
便器付き椅子１００に着座するときや用を終えて起立するときに、ベッドサイドとは反対側の水平姿勢（使用位置）にある長尺木材１６の前端部に手を置いて、この長尺木材１６を支えに着座や起立することができる。長尺木材１６が便座４よりも前方に突出した長さ寸法を備えた「前方突出取っ手部材」であるときには、この前方に突出した長尺木材１６の前端部を支えに前屈みの姿勢から重心移動することができる。
【００５０】
便器付き椅子１００は取っ手部材１４のピボット軸２４が便座４の前後方向中間部分に位置していることから、要介護者が長尺木材１６を支えにするときに長尺木材１６のぐらつきを抑えることができ、一層の安全性を確保できるという利点を備えている。この点について説明すると、要介護者は長尺木材１６を握って起立動作、着座動作、移乗動作する際に長尺木材１６に上下方向、左右方向の力を及ぼす。ちなみに、従来の跳ね上げ式の肘掛け取っ手部材３を備えた便器付き椅子（図９）では肘掛け取っ手部材３の後端部にピボット軸が配置されているため、肘掛け取っ手部材３を要介護者が支えにするときに肘掛け取っ手部材３がぐらついて不安定であった。
【００５１】
また、ベッドとは反対側の取っ手部材１４を跳ね上げることで、ベッドとは反対側から介護することができるが、この際にも操作部材４０の上端部を側方からプッシュすることで取っ手部材１４のロックを解除できる。また、取っ手部材１４を倒して水平姿勢にするだけでロック部材３０は自動的にロック状態になる。
【００５２】
第２実施例（図６〜図８）：
図６〜図８は第２実施例の便器付き椅子を示し、この第２実施例の便器付き椅子２００は、その躯体が金属又は合成樹脂を主体に作られたポータブルトイレである。図６は斜視図である。図７及び図８は側面図であり、図７は取っ手部材が水平姿勢をとった状態を示し、図８は取っ手部材が起立姿勢をとった状態を示す。
【００５３】
この便器付き椅子２００は、逆Ｔ字状の脚２０２を有し、この脚２０２は上下方向に伸縮可能なテレスコピック構造を有し、ダイヤル２０４を緩めることにより高さ調整が可能である。
【００５４】
テレスコピック構造の脚２０２の上端は左右一対の水平フレーム２０６に夫々連結され、この左右の水平フレーム２０６の間に配設された便器２０８は、その側部上端が水平フレーム２０６に支持されている。
【００５５】
水平フレーム２０６には、脚２０２の直ぐ後方に支持プレート２１０が一体的に設けられ、そして、この支持プレート２１０に図外のピボット軸によって取っ手部材２１２が軸支されている。図示を省略した取っ手部材２１２のピボット軸は上下方向且つ斜め方向に変位可能である。取っ手部材２１２には、前述した第１実施例に含まれるガイドピン２６と同様のガイドピンが設けられ（ガイドピンは作図上の理由から図面に現れていない）、このガイドピンは支持プレート２１０のアーチ状のガイド溝２１４に受け入れられている。
【００５６】
取っ手部材２１２はアーチ状のガイド溝２１４に案内されて取っ手部材２１２のピボット軸の上下方向且つ斜め方向の変位を伴いながら揺動し、図７に図示の姿勢と図８に図示の姿勢とをとることができる。具体的に説明すると、取っ手部材２１２は、図７の姿勢から図８の姿勢に変化するときに斜め下方に変位する。
【００５７】
取っ手部材２１２は、これが揺動することにより水平姿勢の使用位置（図７）と起立姿勢の格納位置（図８）とを取ることのできる長尺部材２２０と、使用位置にある水平姿勢を取ったときの長尺部材２２０の前端部からほぼ直角に下方に垂下する短尺部材２２２とを有している。
【００５８】
左右の水平フレーム２０６の後端には上下方向に伸びる背もたれフレーム２２４が一体的に連結され、この左右の背もたれフレーム２２４の上部に背もたれ２２６が固定されている。また、この左右の背もたれフレーム２２４には、前述した第１実施例に含まれるロック部材３０が配設されている。図６〜図８の参照符号２３０は座部クッション材を示す。
【００５９】
取っ手部材２１２に含まれる長尺部材２２０は、図７から最も良く分かるように、便座２０８の前端縁よりも前方に突出した前記「前方突出取っ手部材」（特許文献１）で構成されているが、側面視したときに便座２０８の前端縁とほぼ一致する前端を備えた前記「肘掛け取っ手部材」（特許文献２）であってもよい。
【００６０】
他方、取っ手部材２１２に含まれる短尺部材２２２は、特許文献２に開示の短取っ手部材４(図９)と実質的に同じ長さ寸法を有している。
【００６１】
図８から分かるように、取っ手部材２１２のピボット軸が下方且つ斜め前方へ変位することに伴って長尺部材２２０が起立姿勢を取ったときに、つまり長尺部材２２０が格納位置にあるときに、この格納位置で起立する長尺部材２２０の上端が背もたれ２２６の上端縁よりも上方に突出していない点に注目されたい。
【００６２】
第２実施例の便器付き椅子つまりポータブルトイレ２００によれば、第１実施例と同様に左右の取っ手部材２１２の長尺部材２２０が水平姿勢（使用位置）と起立姿勢（格納位置）をとることができるためベッドサイドに椅子２００を設置したときに、ベッドに隣接する取っ手部材２１２を跳ね上げてその長尺部材２２０を起立姿勢にすることでベッド側を開放することができる。そして、このときに起立した長尺部材２２０が背もたれ２２６の上端縁を超えて上方に突出していないため介助者の邪魔になることはない。勿論、便器付き椅子２００がベッドサイドに開放した状態であることから、要介護者が自力でベッドサイドに座り、そして自力でお尻を横移動させることで、便器付き椅子２００に移乗することができる。
【００６３】
第２実施例のポータブルトイレ２００にあっては、長尺部材２２０が起立姿勢の格納位置をとったときに、この長尺部材２２０の代わりに短尺部材２２２が水平状態の使用位置をとることから、短尺部材２２２を掴んで要介護者が自力でベッドサイドに接近したり、ベッドサイドに座る際の拠り所にすることができる。
【００６４】
この第２実施例のポータブルトイレ２００に含まれる取っ手部材２１２と実質的に同じ構造の木製の取っ手部材を前述した第１実施例の便座付き椅子１００に採用してもよい。逆に、この第２実施例のポータブルトイレ２００の取っ手部材２１２から短尺部材２２２を省いてもよい。
【００６５】
第２実施例の便器付き椅子２００にあっても、着座するときや用を終えて起立するときに、ベッドサイドとは反対側の水平姿勢にある長尺部材２２０を支えに着座や起立することができる。長尺部材２２０が便座２２８よりも前方に突出した長さ寸法を備えた「前方突出取っ手部材」であるときには、この前方に突出した長尺部材２２０の前端部を支えに前屈みの姿勢から重心移動することができる。
【産業上の利用可能性】
【００６６】
本発明は、ベッドの脇に置いて使用する便器付き椅子に好適に適用して、要介護者の一層の自律性を支援できる。
【符号の説明】
【００６７】
１００  第１実施例の便器付き椅子
４  便座
６  背もたれ
１０  座部側壁ボード
１４  取っ手部材
１６  長尺木材
２４  ピボット軸
３０  ロック部材
３２  背もたれフレーム木材
３８  ベース支柱
４０  操作部材
４２  水平ピン
４４  三角形の形状のフック
４４ａ  傾斜したガイド面（フック）
４４ｂ  水平係止面
４６  捻りコイルバネ
２００  第２実施例の便座付き椅子
２１２  取っ手部材
２１４  円弧状のガイド溝
２２０  長尺部材
２２２  短尺部材
２２４  背もたれフレーム
２２８  便座
【図１】
2013252326.tif 000003
【図２】
2013252326.tif 000004
【図３】
2013252326.tif 000005
【図４】
2013252326.tif 000006
【図５】
2013252326.tif 000007
【図６】
2013252326.tif 000008
【図７】
2013252326.tif 000009
【図８】
2013252326.tif 000010
【図９】
2013252326.tif 000011